(57)【要約】【課題】常夜灯としての白熱ランプおよび発光ダイオードの何れにも使用できる放電ランプ用点灯装置および照明器具を提供する。【解決手段】放電ランプ用点灯装置１は、直流電源回路２の負極出力側に接続された第１の接続端子５と、直流電源回路２の正極出力側に接続された第２の接続端子６と、内部電源回路４の正極出力側に限流素子Ｒ１を介して接続された第３の接続端子７と、直流電源回路２および内部電源回路４のそれぞれの負極出力側と第１の接続端子５との間に介挿されたスイッチ素子８と、内部電源回路４から出力された直流電圧が動作電源として供給され、外部信号に応じてスイッチ素子８をオンオフ制御する制御回路９とを具備している。【選択図】図１
2008251442.tif 000002
【特許請求の範囲】
【請求項１】
交流電源からの交流電圧を直流電圧に変換して出力する直流電源回路と；
直流電源回路から出力された直流電圧を高周波交流電圧に変換し、放電ランプを点灯させる高周波点灯回路と；
直流電源回路の負極出力側と自身の負極出力側が共通に接続され、直流電源回路から出力された直流電圧を所定の直流電圧に降圧して出力する内部電源回路と；
直流電源回路の負極出力側に接続された第１の接続端子と；
直流電源回路の正極出力側に接続され、第１の接続端子との間に白熱ランプが接続される第２の接続端子と；
内部電源回路の正極出力側に限流素子を介して接続され、第１の接続端子との間に発光ダイオードが接続される第３の接続端子と；
直流電源回路および内部電源回路のそれぞれの負極出力側と第１の接続端子との間に介挿されたスイッチ素子と；
内部電源回路から出力された直流電圧が動作電源として供給され、放電ランプが所定の電力で点灯するように高周波点灯回路を制御するとともに、外部信号に応じて前記スイッチ素子をオンオフ制御する制御回路と；
を具備していることを特徴とする放電ランプ用点灯装置。
【請求項２】
第１ないし第３の接続端子は、基板上に直線状であって第２の接続端子が一端側となるように配設され、かつ第２の接続端子と第１または第３の接続端子との間隔が第２および第３の接続端子との間隔よりも大きいことを特徴とする請求項１記載の放電ランプ用点灯装置。
【請求項３】
請求項１または２記載の放電ランプ用点灯装置と；
内部に放電ランプ用点灯装置を配設している器具本体と；
器具本体に取り付けられた放電ランプと；
器具本体に取り付けられた白熱ランプまたは発光ダイオードと；
を具備していることを特徴とする照明器具。
【発明の詳細な説明】
【技術分野】
【０００１】
本発明は、放電ランプおよび常夜灯を点灯させる放電ランプ用点灯装置および照明器具に関する。
【背景技術】
【０００２】
蛍光ランプを備える天井直付け器具や吊り下げ器具においては、ナツメ電球などの低ワットの白熱ランプが常夜灯として搭載されている。この白熱ランプは、従来、交流電源（ＡＣ１００Ｖ）で点灯されている。しかし、蛍光ランプが高周波点灯される照明器具においては、白熱ランプを直流点灯させる放電灯点灯装置が搭載されてきている（例えば特許文献１参照。）。
【０００３】
この従来技術の放電灯点灯装置は、交流電源からの交流電圧を全波整流した全波整流回路の直流電圧により白熱ランプが点灯される。ここで、インバータ回路および制御回路の接地ラインを共通化させて、当該接地ラインに接続したスイッチ素子を介して白熱ランプが接続されている。白熱ランプは、制御回路のスイッチ素子のオンオフ制御により点消灯されるものである。こうして、放電灯点灯装置は、ＡＣ１００Ｖラインを回路基板内で長く引き回す必要がなく、フォトカプラー等の電気絶縁用の接続素子が不要となるので、省スペース化、小型化されるというものである。
ところで、常夜灯としての白熱ランプは、夜間などの点灯によって長時間使用されるためにランプ切れが発生しやすく、また、低ワットであっても長時間に亘って使用するために省電力化が図られないという問題点がある。この問題点を解決するために、長寿命で消費電力が小さい発光ダイオード（ＬＥＤ）が常夜灯として使用されてきている。
【特許文献１】特開平１１−１８５９８３号公報（第３頁、第１図）
【発明の開示】
【発明が解決しようとする課題】
【０００４】
特許文献１の放電灯点灯装置は、白熱ランプに代えて発光ダイオードを使用することができる。すなわち、発光ダイオードと直列接続されるように限流用の抵抗素子を追加することによって、発光ダイオードを常夜灯として使用できる。しかし、抵抗素子が全波整流回路の出力側（例えばＤＣ１４０Ｖ）に接続されることになり、発光ダイオードに流れる電流を小さくするために抵抗素子の抵抗値を大きくする必要があるので、抵抗素子での消費電力が白熱ランプの場合と略同等となって、省電力化が図られないものである。また、抵抗素子を器具本体内に設けることになるので、器具設計に煩わしさや支障を来たすおそれがあり、さらに、抵抗素子の取付部材なども要するので、照明器具がコストアップするという欠点を有する。
【０００５】
そして、白熱ランプ用、発光ダイオード用の放電灯点灯装置を構成すると、機種が多くなるという欠点を有する。
【０００６】
本発明は、常夜灯としての白熱ランプおよび発光ダイオードの何れにも使用できる放電ランプ用点灯装置および照明器具を提供することを目的とする。
【課題を解決するための手段】
【０００７】
請求項１に記載の放電ランプ用点灯装置の発明は、交流電源からの交流電圧を直流電圧に変換して出力する直流電源回路と；直流電源回路から出力された直流電圧を高周波交流電圧に変換し、放電ランプを点灯させる高周波点灯回路と；直流電源回路の負極出力側と自身の負極出力側が共通に接続され、直流電源回路から出力された直流電圧を所定の直流電圧に降圧して出力する内部電源回路と；直流電源回路の負極出力側に接続された第１の接続端子と；直流電源回路の正極出力側に接続され、第１の接続端子との間に白熱ランプが接続される第２の接続端子と；内部電源回路の正極出力側に限流素子を介して接続され、第１の接続端子との間に発光ダイオードが接続される第３の接続端子と；直流電源回路および内部電源回路のそれぞれの負極出力側と第１の接続端子との間に介挿されたスイッチ素子と；内部電源回路から出力された直流電圧が動作電源として供給され、放電ランプが所定の電力で点灯するように高周波点灯回路を制御するとともに、外部信号に応じて前記スイッチ素子をオンオフ制御する制御回路と；を具備していることを特徴とする。
【０００８】
本発明および以下の各発明において、特に言及しない限り、各構成は以下による。
【０００９】
「第２の接続端子に接続される直流電源回路の正極出力側」とは、高周波点灯回路に入力される直流電圧の正極側であってもよく、これとは別に出力させた直流電圧の正極側であってもよい。
【００１０】
「第３の接続端子が接続される内部電源回路の正極出力側」とは、内部電源回路から出力された直流電圧の正極側を意味する。したがって、当該直流電圧がさらに降圧や昇圧された直流電圧の正極側であってもよい。
【００１１】
また、「制御回路に供給される内部電源回路から出力された直流電圧」とは、内部電源回路で発生した直流電圧の他、当該直流電圧がさらに降圧や昇圧された直流電圧も包含するものである。
【００１２】
「外部信号に応じて」とは、常夜灯を点消灯させることを意味し、例えばプルスイッチの操作、壁スイッチの瞬時開閉の操作、赤外線リモコン信号の送信、光センサーや人感センサー等の検出などによるものである。
【００１３】
本発明によれば、照明器具が常夜灯として白熱ランプを具備するものであるときには、白熱ランプが第１および第２の接続端子に接続され、常夜灯として発光ダイオードを具備するものであるときには、発光ダイオードが第１および第３の接続端子に接続される。すなわち、第１ないし第３の接続端子が設けられることにより、常夜灯としての白熱ランプおよび発光ダイオードの何れにも使用できる放電ランプ用点灯装置が構成される。
【００１４】
そして、発光ダイオードは、内部電源回路からの直流電圧により電源が供給されるので、発光ダイオードに所定の電流を流すための限流素子の抵抗値が小さく設定され、限流素子での電力損失が低減される。これにより、常夜灯の長寿命化および省電力化が図られる。
【００１５】
請求項２に記載の放電ランプ用点灯装置の発明は、請求項１記載の放電ランプ用点灯装置において、第１ないし第３の接続端子は、基板上に直線状であって第２の接続端子が一端側となるように配設され、かつ第２の接続端子と第１または第３の接続端子との間隔が第２および第３の接続端子との間隔よりも大きいことを特徴とする。
【００１６】
第１ないし第３の接続端子は、基板上において第１、第３、第２の接続端子または第３、第１、第２の接続端子の配列となる。
【００１７】
本発明によれば、第１ないし第３の接続端子の基板上での占有領域が小さくされるとともに、交流電源からの交流電圧が直流電圧に変換されて高レベルの電位である第２の接続端子と、内部電源回路から出力された直流電圧である低レベルの電位である第３の接続端子または基準（接地）電位にスイッチ素子を介して接続された第１の接続端子との絶縁距離が確保される。
【００１８】
請求項３に記載の照明器具の発明は、請求項１または２記載の放電ランプ用点灯装置と；内部に放電ランプ用点灯装置を配設している器具本体と；器具本体に取り付けられた放電ランプと；器具本体に取り付けられた白熱ランプまたは発光ダイオードと；を具備していることを特徴とする。
【００１９】
本発明によれば、請求項１または２記載の放電ランプ用点灯装置を具備するので、常夜灯として白熱ランプまたは発光ダイオードのいずれも使用できる照明器具が提供される。
【発明の効果】
【００２０】
請求項１の発明によれば、直流電源回路の負極出力側にスイッチ素子を介して接続された第１の接続端子と、直流電源回路の正極出力側に接続された第２の接続端子と、内部電源回路の正極出力側に限流素子を介して接続された第３の接続端子を有するので、常夜灯としての白熱ランプおよび発光ダイオードのいずれも点消灯できる放電ランプ用点灯装置を提供することができて当該機種を削減することができる。
【００２１】
請求項２の発明によれば、第１ないし第３の接続端子が基板上に直線状であって第２の接続端子が一端側となるように配設され、かつ第２の接続端子と第１または第３の接続端子との間隔が第２および第３の接続端子との間隔よりも大きいことにより、基板上での第１ないし第３の接続端子の配設領域を小さくして絶縁距離を確保でき、放電ランプ用点灯装置を小形化できる。
【００２２】
請求項３の発明によれば、常夜灯としての白熱ランプまたは発光ダイオードのいずれも点消灯できる放電ランプ用点灯装置が配設された照明器具を提供することができる。
【発明を実施するための最良の形態】
【００２３】
以下、本発明の一実施の形態について、図面を参照して説明する。まず、本発明の第１の実施形態について説明する。
【００２４】
図１および図２は、本発明の第１の実施形態を示し、図１は放電ランプ用点灯装置の概略回路図、図２は回路基板での部品の概略配置図である。
【００２５】
図１において、放電ランプ用点灯装置１は、直流電源回路２、高周波点灯回路３、内部電源回路４、第１ないし第３の接続端子５，６，７、スイッチ素子８および制御回路９を有して構成されている。
【００２６】
直流電源回路２は、整流装置１０の入力側がコンデンサＣ１およびインダクタＬ１からなるノイズフィルター回路１１を介して入力端子Ｔ１，Ｔ２に接続され、整流装置１０の出力側がコンデンサＣ２に接続されている。整流装置１０の負極出力側は、コンデンサＣ３を介してアースＥに接続されている。整流装置１０は、入力端子Ｔ１，Ｔ２に接続された商用交流電源Ｖｓの交流電圧（例えばＡＣ１００Ｖ）を直流電圧に変換して出力する。
【００２７】
そして、整流装置１０から出力された直流電圧は、インダクタＬ２，電界効果トランジスタＱ１、逆流防止用のダイオードＤ１および平滑用コンデンサＣ４を有してなる昇圧チョッパ回路１２により昇圧されて高周波点灯回路３に入力される。すなわち、制御回路９により、電界効果トランジスタＱ１が所定のスイッチング周波数でオンオフ制御されて、平滑用コンデンサＣ４の両端間に所定の直流電圧が発生する。
【００２８】
高周波点灯回路３は、インバータ回路１３および共振回路１４により形成されている。インバータ回路１３は、昇圧チョッパ回路１２の平滑用コンデンサＣ４の両端間に直列的に接続された電界効果トランジスタＱ２，Ｑ３を有してなり、制御回路９の制御により電界効果トランジスタＱ２，Ｑ３が交互にオンオフ動作することにより、昇圧チョッパ回路１２から出力された直流電圧を高周波交流電圧に変換して電界効果トランジスタＱ３のドレイン、ソース間に出力する。
【００２９】
共振回路１４は、電界効果トランジスタＱ３のドレイン、ソース間に放電ランプとしての蛍光ランプ１５を介して接続された直流カット用コンデンサＣ５、インダクタＬ３および始動用コンデンサＣ６からなり、インダクタＬ３の一端側、始動用コンデンサＣ６の両端側および電界効果トランジスタＱ３のソース側がそれぞれ出力端子Ｓ１〜Ｓ４に接続されている。出力端子Ｓ１〜Ｓ４は、放電ランプ用点灯装置１の出力端子を構成し、蛍光ランプ１５のフィラメント電極１５ａ，１５ｂのそれぞれの両端側が接続されている。そして、共振回路１４は、前記高周波交流電圧に応じて共振して蛍光ランプ１５を点灯させる。このように、高周波点灯回路３は、直流電源回路２から出力された直流電圧を高周波交流電圧に変換して出力し、蛍光ランプ１５を点灯させる。なお、高周波点灯回路３は、１本の蛍光ランプ１５に限らず、直列接続または並列接続された複数本の蛍光ランプ１５を点灯させるように構成されてもよい。
【００３０】
内部電源回路４は、昇圧チョッパ回路１２の平滑用コンデンサＣ４の両端間に接続されたＩＣ回路（集積回路）１６、一端がＩＣ回路１６に接続されたインダクタＬ４、インダクタＬ４の他端および平滑用コンデンサＣ４の負極側の間に接続された逆流防止用のダイオードＤ２からなっている。そして、ダイオードＤ２の両端間を出力端とし、平滑用コンデンサＣ４の両端間に発生した直流電圧を所定の直流電圧（例えばＤＣ５Ｖ）に降圧して出力するように構成されている。ダイオードＤ２のアノード側は、内部電源回路４の正極出力側となっている。
【００３１】
また、内部電源回路４は、平滑用コンデンサＣ４の両端間に接続されているので、負極出力側（ダイオードＤ２のカソード側）が直流電源回路２の負極出力側と共通になっている。そして、内部電源回路４から出力された直流電圧は、コンデンサＣ７の両端間に供給されている。コンデンサＣ７の両端間電圧は、制御回路９の動作電源となっている。
【００３２】
第１の接続端子５は、スイッチ素子８を介して直流電源回路２（整流装置１０）の負極出力側に接続されている。また、第２の出力端子６は、直流電源回路２の正極出力側に接続されている。そして、第３の接続端子７は、限流素子としての抵抗Ｒ１を介して内部電源回路４の正極出力側に接続されている。すなわち、抵抗Ｒ１を介して制御回路９の動作電源であるコンデンサＣ７の正極側に接続されている。
【００３３】
スイッチ素子８がオンしているときには、第１および第２の接続端子５，６間にＤＣ１４０Ｖが発生し、第１および第３の接続端子５，７間にコンデンサＣ７の両端間電圧であるＤＣ５Ｖが発生するものである。そして、第１および第２の接続端子５，６間には、常夜灯としての白熱ランプ１７が接続され、第１および第３の接続端子５，７間には、常夜灯としての発光ダイオード１８が接続される。
【００３４】
スイッチ素子８は、電界効果トランジスタからなり、直流電源回路２（整流装置１０）の負極出力側および第１の接続端子５との間に介挿されている。内部電源回路４の負極出力側と直流電源回路２の負極出力側とは共通に接続されているので、スイッチ素子８は、内部電源回路４の負極出力側および第１の接続端子５との間に対しても介挿されている。したがって、第１および第２の接続端子５，６間に接続された白熱ランプ１７および第１および第３の接続端子５，７間に接続された発光ダイオード１８のいずれも１個のスイッチ素子８でオンオフされる。
【００３５】
制御回路９は、コンデンサＣ７の両端間電圧（ＤＣ５Ｖ）が供給されて動作する。また、コンデンサＣ７の両端間電圧は、接続端子Ｓ５，Ｓ６に接続された増幅器１９に動作電源を供給している。増幅器１９は、受光器２０に接続されており、図示しないリモコン装置から送信された外部信号としての照明制御信号を復調して増幅し、接続端子Ｓ７を介して制御回路９に出力するように構成されている。照明制御信号は、蛍光ランプ１５を点灯、消灯または調光させる制御信号であり、また、常夜灯としての白熱ランプ１７または発光ダイオード１８を点消灯させる制御信号である。
【００３６】
制御回路９は、昇圧チョッパ回路１２の電界効果トランジスタＱ１を所定のスイッチング周波数でオンオフ制御し、平滑用コンデンサＣ４の両端間に所定の直流電圧を発生させる。また、リモコン装置から送信された照明制御信号（外部信号）に応じて、蛍光ランプ１５が所定の電力で点灯するようにインバータ回路１３の電界効果トランジスタＱ２，Ｑ３のスイッチング周波数を変化させて高周波点灯回路３を制御する。そして、照明制御信号が常夜灯を点消灯させる制御信号であるときには、スイッチ素子８をオンオフ制御するものである。
【００３７】
そして、放電ランプ用点灯装置１の各構成部品は、図２に示すように、回路基板２１上に実装されている。そして、第１ないし第３の接続端子５，６，７は、雌コネクタ２２の接続ピンとして立設されている。雌コネクタ２２は、基板２１の一端部２１ａ側に配設されている。第１ないし第３の接続端子５，６，７は、雌コネクタ２２において直線状に配設され、第２の接続端子６が一端側２２ａに配設され、第１および第３の接続端子５，７が他端側２２ｂに配設されている。ここで、第１および第３の接続端子５，７の配設位置は、入れ替えてもよい。
【００３８】
第１および第２の接続端子５，６間には、内部電源回路４から出力された直流電圧により充電されたコンデンサＣ７の両端間電圧（ＤＣ５Ｖ）が印加され、第１および第３の接続端子５，７間には、直流電源回路２から出力された直流電圧（ＤＣ１４０Ｖ）が印加されるので、第２および第３の接続端子６，７間の間隔Ａ１を第１および第３の接続端子５，７間の間隔Ａ２よりも大きくして、第２の接続端子６と第１および第３の接続端子５，７の絶縁距離を確保している。これにより、雌コネクタ２２の大きさを最小限にでき、雌コネクタ２２の回路基板２１での占有面積を小さくできる。この結果、回路基板２１（放電ランプ用点灯装置１）を小形化することができる。すなわち、第２の接続端子６を第１および第３の接続端子５，７の中間の位置に配設すると、第２の接続端子６と第１および第３の接続端子５，７のそれぞれの絶縁距離を確保することになるので、雌コネクタ２２が大形化して、第１ないし第３の接続端子５，６，７の基板２１上での占有面積が大きくなるものである。
【００３９】
そして、第１および第３の接続端子５，７間に供給される電圧は、ＤＣ５Ｖと低いので、発光ダイオード１８に流れる電流を調整する抵抗Ｒ１の抵抗値を小さくすることができる。これにより、第１および第３の接続端子５，７間に常夜灯として発光ダイオード１８が接続されたときの抵抗Ｒ１での電力損失を低減することができる。
【００４０】
そして、常夜灯としての白熱ランプ１７または発光ダイオード１８に接続されている雄コネクタを雌コネクタ２２に接続することにより、白熱ランプ１７および発光ダイオード１８のいずれも点消灯することができる。これにより、白熱ランプ１７および発光ダイオード１８に対する放電ランプ用点灯装置の機種を削減することができる。
【００４１】
次に、本発明の第２の実施形態について説明する。
【００４２】
図３は、本発明の第２の実施形態を示す照明器具であり、（ａ）は一部切り欠き概略側面図、（ｂ）は放電ランプが取り外された状態の一部切り欠き概略正面図である。なお、図１と同一部分には、同一符号を付して説明は省略する。
【００４３】
図３に示す照明器具２３は、天井などの造営物に設置される直付け照明器具であり、器具本体２４、放電ランプとしての環外径の異なる環形蛍光ランプ２５，２６、常夜灯２７、グローブ２８および図１に示す放電ランプ用点灯装置１などを有して構成されている。
【００４４】
環形蛍光ランプ２５，２６は、同心円状にして器具本体２４のランプソケット２９，３０にそれぞれ取り付けられている。そして、環形蛍光ランプ２５，２６は、例えば白色、昼白色、昼光色、温白色および電球色のいずれかの色光を放射する。また、常夜灯２７は、白熱ランプ１７または発光ダイオード１８からなり、器具本体２４に配設されている。
【００４５】
そして、器具本体２４内に、放電ランプ用点灯装置１が収容されて、環形蛍光ランプ２５，２６に接続されている。また、器具本体２４には、略中央部にリモコン装置３１から送信されたリモコン制御信号（外部信号）を受光する受光器２０の受光素子３２が配設されている。器具本体２４は、天井などの造営物にネジなどによって固定され、前面は透光性のグローブ２８によって被われている。
【００４６】
受光素子３２側に向かってリモコン装置３１からリモコン制御信号が送信されると、環形蛍光ランプ２５，２６または常夜灯２７が点消灯する。環形蛍光ランプ２５，２６または常夜灯２７からの光は、グローブ２８を透過して外方側に出射する。
【００４７】
照明器具２３は、常夜灯２７として白熱ランプ１７または発光ダイオード１８のいずれも点消灯することのできる放電ランプ用点灯装置１を具備するので、白熱ランプ１７または発光ダイオード１８に対して専用の放電ランプ用点灯装置を具備する場合に比べて省力化を図ることができ、これにより安価に形成することができる。
【図面の簡単な説明】
【００４８】
【図１】本発明の第１の実施形態を示す放電ランプ用点灯装置の概略回路図。
【図２】同じく、回路基板での部品の概略配置図。
【図３】本発明の第２の実施形態を示す照明器具であり、（ａ）は一部切り欠き概略側面図、（ｂ）は放電ランプが取り外された状態の一部切り欠き概略正面図。
【符号の説明】
【００４９】
１…放電ランプ用点灯装置
２…直流電源回路
３…高周波点灯回路
４…内部電源回路
５…第１の接続端子
６…第２の接続端子
７…第３の接続端子
８…スイッチ素子
９…制御回路
１８…白熱ランプ
１９…発光ダイオード
２３…照明器具
２４…器具本体
２５，２６…放電ランプとしての環形蛍光ランプ
２７…白熱ランプまたは発光ダイオードとしての常夜灯
【図１】
2008251442.tif 000003
【図２】
2008251442.tif 000004
【図３】
2008251442.tif 000005